(57)【特許請求の範囲】
【請求項１】
道糸に浮子を設け、該道糸の下端部に針素の一端を連結し、自在継ぎ手からなる連結部を介して前記針素の他端を連結し、且つ、該連結部の直上又は直下に重りを設け、更に前記回動体の一端に釣針を備えると共にその他端に釣針又は作動体を備え、前記浮子に起因する針素の上下動により前記重りが下方に沈みこむことで相対的に回動体が重りよりも上方に回動することを特徴とする釣餌の擬似活性具。
【発明の詳細な説明】
【０００１】
【産業上の利用分野】
本発明は、釣針の釣餌に擬似活性を付与するところの釣餌の擬似活性具に関する。
【０００２】
【従来の技術】
従来、この種の釣針の釣餌に疑似活性を付与する装置として、本発明者は、既に特公平３−１１７３９号公報（特許第１６４７７２０号）を提案している。
この技術は、図７に示すように、杆１の一端に水中において抵抗力を発生する抵抗体２を連結し、杆１の他端に釣針８を有するハリス７を連結し、その杆１の両端の間に浮子１０を備える道糸９を連結したものである。
【０００３】
この釣具は、浮子１０に波のうねりが作用したときに、この浮子１０が上下するのを利用し、これに連結された道糸９を上下に変位させ、その道糸９に連結された杆１の一端に連結された抵抗体２を支点として、杆の他端側の釣針８を揺動させ、以て釣針８に付けた釣餌に疑似活性を付与せしめて魚の食いを良くしようとしたものである。
【０００４】
ところが、この従来技術にあっては、前記抵抗体２を杆１の一端に連結するに際して、杆１の端部に曲環３を設け、これに前記抵抗体２を揺動自在に連結している。  この構造を採用しているため、浮子１０に波のうねりが作用したときに、この浮子１０が上下するにつれて前記抵抗体２を支点として、杆１の他端側の釣針８を揺動させるときに、前記抵抗体２を連結する曲環３を支点にして比較的緩慢な揺動を行うことになるのである。  換言すると、前記抵抗体２はあくまでも静止型の抵抗体として機能するのであり、その為に、波のうねりによる浮子１０の浮き沈みの周期に対応した緩慢な動作を行うのである。  その為、杆１の他端の釣針８の釣餌は、上下に揺動するものの、比較的緩慢な移動をするため、釣餌が恰も生きているが如き動作に似ず、不自然な動きを呈して魚の食いが今少し向上しなかったのである。
【０００５】
そこで、本発明者は、かかる問題点に着目し、釣針に付けた釣餌の疑似活性を、道糸の少しの上下引き、戻し作用に敏感に、且つ大きく鋭く反応して付与させ、以て、魚の食いを一層向上させるようにすることを考えた。
即ち、図８に示すように、作動杆１の一端側に水中での移動において抵抗を生じる抵抗体２を一体的に設け、前記作動杆１の他端に釣針３を設けるか釣針を有するハリス５の取り付け部４を設け、前記抵抗体２と前記作動杆１の他端との間に、道糸６を連結するための連結部を設けてある。
【０００６】
これによって、道糸６が上方に引き上げられたときには、前記抵抗体２の中心を支点として前記作動杆１が揺動されると共に作動杆１自体もその中間部分（道糸の連結部）が上方に引き上げられ、その際に前記抵抗体２自体も反動でもって回転力が加わり、その回転慣性がまた作動杆１にも影響を与え、作動杆の俊敏作動が増幅され、以て、作動杆１の他端の釣針の釣餌が俊敏に、ピンピンと大きく揺動されるのである。
【０００７】
【発明が解決しようとする課題】
ところが、上述した二つの技術が、何れも抵抗体を用いていて、作動杆が水中を切る方向に移動することによって釣針の揺動を行うものであった為、抵抗体を別途設ける必要性があるのみならず、作動杆の水中での移動抵抗が大きくて釣餌の揺動変位に今一つ俊敏性が得られないという問題があった。
加えて、釣針は抵抗体に対置するものであるので、釣針を離れた位置に二本設けようとすれば、更に別途抵抗体を設ける必要があったのである。
本発明は、かかる現状に鑑み、釣餌の揺動変位が更に俊敏になり、疑似活性を一層強め、リアルなものとすることを目的とする。
【０００８】
【課題を解決するための手段】
本発明の釣餌の擬似活性具は、道糸に浮子を設け、該道糸の下端部に針素の一端を連結し、自在継ぎ手からなる連結部を介して前記針素の他端を連結し、且つ、該連結部の直上又は直下に重りを設け、更に前記回動体の一端に釣針を備えると共にその他端に釣針又は作動体を備え、前記浮子に起因する針素の上下動により前記重りが下方に沈みこむことで相対的に回動体が重りよりも上方に回動するように構成する、という手段を講じたものである。
【０００９】
本発明に於いて、上記自在継ぎ手は、前記回動体と実質的に一体の環状体と、これに連動された前記針素に一体の環状体とから構成されるのが好ましい。  また、上記回動体が柔軟な素材で構成され、その両端に釣針が備えられているのが好ましい。
更に、上記作動体が疑似餌であることが好ましい。  或いは、上記作動体がアミ籠であっても良い。
また、上記針素の連結位置が回動体の略中間位置であるとは、その中間点は勿論のこと、要するに回動体の両端間の適宜位置であれば良いことを意味する。
【００１０】
本発明に言う重りとは、一般の鉛の重り（シズ）のみならず、サルカン自体、スナップ自体、或いはこれに代わる重量のある物であって、上記自在継ぎ手の直上方又は直下方の少なくとも一方に位置されるものであればよく、更には、重りとサルカンとの併用でも、スナップを組み合わせても良いものである。  また、上記梃部が重量のある素材で構成される場合には、これ自体が重りの役割を果たすことになる。
また、上記回動体は中空のチューブであっても、中実の棒状態或いはロッドであっても良い。  更に、自在継ぎ手は、針素を環状にして構成してもよく、サルカンの一部を利用してもよい。
【００１１】
本発明によれば、釣餌は、道糸を上下方向に引き、戻し操作（浮子の揺動を利用、手操作の利用、釣船に対する道糸の固定による釣船の揺動を利用）することによって、俊敏に活性を帯びる。即ち、前記浮子に起因する針素の上下動により前記重りが下方に沈みこむことで相対的に回動体が重りよりも上方に回動する。その回動体の変位が釣餌に活性を与えるのである。
【００１２】
その際、回動体は、現実には水中において上下変位、回動変位等の複雑な動きをするが、結果として釣餌に位置変動をもたらすのである。その結果として、釣針の釣餌（弱った活き釣餌、死に釣餌或いは擬似餌）の動きの俊敏性が一層助長されることになるのである。
【００１３】
以下、本発明の好適実施例について、図面を参照して詳細に説明する。
図１乃至図３に示すように、１は、金属の細いロッドで、実質的に水平方向に伸び、略直線状に構成した回動体を示す。２は、針素であり、３は自在継ぎ手を示す。この自在継ぎ手３は、前記回動体１の略中間位置に位置され、回動体１と針素２とを、連結部４を介して、連結している。
【００１４】この実施例においては、自在継ぎ手３を構成するに、二つの環状体３ａ・３ｂで構成し、一方の環状体３ａを、前記回動体１を構成するロッドを湾曲形成して構成し、他方の環状体３ｂは、針素２を環状に結ぶことによって構成している。そして、前記環状体３ａの向きは、回動体１の軸線方向に直交する方向に形成してある。また、連結部４は、前記回動体１を構成するロッドに複数回捻じりを加えて立ち上がらせて構成してある。
【００１５】
５は、重りであり、通常鉛を用いている。  この重り５は、前記自在継ぎ手３の直上方の針素２に固定して設けてある（又は自在継ぎ手３のでも良い）。  ６・６は、釣針であり、前記回動体１の両端に備えられ、チモト（テグス）７・７によって連結されており、その一方は必ず釣針であるが、他方は、作動体としての釣針であり、これは、適宜の作動体、アミ篭、疑似餌等に代えることができる。  この釣針６・６には、活き釣餌又は死に釣餌或いは疑似餌が付けられる。
８は、浮子であり、上記針素２の上方に繋がる道糸に取り付けられている。
【００１６】
図４は、第２の実施例を示し、ここでは、上記回動体１に対応する部材が、柔軟な樹脂製の透明のチューブ１Ａで構成されており、この中をチモト７・７が伸びて、中間位置からチューブの外側に出て、そこで梃部４を構成する結び目を形成してから環状体３ａを形成してある。  そして、両チモト７・７には釣針６・６が備えられている。  ここでは、撚り戻しのサルカン９が用いられ、その下方の環状体が前記環状体３ｂを兼ねるように構成されている。  ここでは、重量のあるサルカン９を用いるために、上記重り５を省いてある。
また、前記環状体３ａは、上記実施例とは異なり、前記回動体１の軸線方向に平行する方向に向けて形成してある。
その他の部材は、上記実施例と実質的に同一であるので、同一部材番号を付して、説明を省略する。
【００１７】
この場合には、回動体１が柔軟であるので、両方の釣針６・６に魚が喰いついたときは、その回動体１が柔軟が湾曲する。  従って、回動体１を細い剛体のロッドで構成した場合にその回動体の湾曲が復帰せず、その後の回動に支障を来すが、この実施例の構造では、復元してその後の回動作用をスムースに維持できるのである。  また、チューブ１Ａがチモト７・７を略直線状に保形して一体となって回動体を構成することになるが、回動体にロッドを用いるのに較べてチモトの結束個所が少なくて済むといった利点もある。
【００１８】
図５は、第３の実施例を示し、ここでは、上記回動体１に対応する部材が、柔軟な樹脂製の透明のチューブ１Ａで構成されており、この中をチモト７・７が伸びて、中間位置からチューブの外側に出て、そこで梃部４を構成する結び目を形成してから環状体３ａを形成してあるが、更に、一方のチモト７には釣針６が備えられるが、他方のチモト７には作動体としてのアミ篭１０が取り付けられ、例えば、アミエビが入れられるように構成されている。
その他の部材は、上記実施例と実質的に同一であるので、同一部材番号を付して、説明を省略する。
上記アミ篭１０は、釣餌の付いた釣針６と概ねバランスを保ち、回動体１の軸芯回りの回動時に、この回動体１を現状位置に保持する役目を果たす。
【００１９】
図６は、第４実施例を示し、ここでは、回動体１に釣素２を直接取り付け、この取り付け位置の直ぐ上に重り５をとり着ける。柔らかい針素２が、連結部４と自在継ぎ手３の代わりをなす。
【００２０】
【発明の効果】
本発明にかかる餌の擬似活性具によれば、釣針の揺動変位を、浮子に起因する針素の上下動により重りが下方に沈みこむことで相対的に回動体が重りよりも上方に回動する。その回動体の変位が釣餌に活性を与えるのである。
これにより、活き餌の本来の活性が失われてきても（擬似餌でも有効）、魚の喰いが改善され、釣り効果を向上させることが出来る利点がある。
【図面の簡単な説明】
【図１】本発明の釣餌の擬似活性具の全体側面図である。
【図２】本発明の釣餌の擬似活性具の一作動状態を示す要部の側面図である。
【図３】本発明の釣餌の擬似活性具の他の作動状態を示す要部の側面図である。
【図４】本発明の釣餌の擬似活性具の第２実施例を示す要部の側面図である。
【図５】本発明の釣餌の擬似活性具の第３実施例を示す要部の側面図である。
【図６】本発明の釣餌の擬似活性具の第４実施例を示す要部の側面図である。
【図７】従来技術の一例を示す釣餌の擬似活性具の全体側面図である。
【図８】従来技術の他の例を示す釣餌の擬似活性具の全体側面図である。
【符号の簡単な説明】
１  回転体
２  針素
３  自在継ぎ手
４  梃部
【図１】
0003629593.tif 000002
【図２】
0003629593.tif 000003
【図３】
0003629593.tif 000004
【図４】
0003629593.tif 000005
【図５】
0003629593.tif 000006
【図６】
0003629593.tif 000007
【図７】
0003629593.tif 000008
【図８】
0003629593.tif 000009